(57)【要約】      （修正有）【課題】個別通信線の短絡や断線などでナースコール子機が使用不能の状態になった場合に、当該ナースコール子機からこれを使用する患者に異常状態を報知できるナースコールシステムを提供する。【解決手段】ナースコール子機３に、個別通信線５の電圧を監視する異常監視手段１０と、乾電池などの一次電池、または充電回路を含む二次電池からなる警報電源１２と、前記警報電源１２で駆動される警報手段１３とを設け、短絡、断線などにより、前記個別通信線５からの電源供給が遮断された場合には、前記警報電源１２で前記警報手段１３を作動させ、当該ナースコール子機３の異常を周囲に報知できるようにしたことを特徴とする。【選択図】図２
2007296068.tif 000002
【特許請求の範囲】
【請求項１】
ナースステーションに設置されるナースコール親機と、各病室の出入り口に設置される個別廊下灯と、病室内の各患者のベッドサイドに設置され、呼出ボタンを有するナースコール子機とを相互に接続して構成されるナースコールシステムにおいて、
前記個別廊下灯と１つまたは複数のナースコール子機との間は相互に独立した個別通信線で接続し、前記個別廊下灯から前記個別通信線を介して前記ナースコール子機に電源を供給するとともに、
前記ナースコール子機には、前記個別通信線の線間電圧の正常、異常を監視し、それぞれに対応して正常または異常信号を出力する異常監視手段と、内蔵電池で駆動される警報電源と、前記警報電源に接続され、異常監視手段から出力される異常信号で閉成し、正常信号で開放される開閉手段と、前記開閉手段を介して前記警報電源に接続される警報手段とを具備し、
前記異常監視手段から異常信号が出力された場合には、前記開閉手段を介して、前記警報電源の出力で前記警報手段を動作させることを特徴とするナースコールシステム。
【請求項２】
前記警報手段には、救助依頼音声からなる音声合成音を含み、前記警報手段の作動時において、前記呼出ボタンを操作した場合には、これに連動して前記音声合成音を出力することを特徴とする請求項１記載のナースコールシステム。
【発明の詳細な説明】
【技術分野】
【０００１】
本発明は、病室にいる患者が看護師を呼出すために使用するナースコールシステムに係り、特に、ナースコール子機に電源遮断事故が発生しても適切な対応を可能とするナースコールシステムに関する。
【背景技術】
【０００２】
ナースコールシステムは、一般に、ナースステーションに設置されるナースコール親機と、各病室の出入り口に設置される個別廊下灯と、病室内の各患者のベッドサイドに設置されるナースコール子機とから構成される。
【０００３】
ナースコール親機、個別廊下灯、ナースコール子機の各機器間は、通信ケーブルと端子やコネクタなどで接続される。ところが、通信ケーブルの配線状況、接続品質にはバラツキがあり、このバラツキが、周囲の環境条件、振動ストレスなどが長期間にわたって加わることにより、累積、拡大され、結果的に、断線、短絡事故にいたることがある。
【０００４】
特許文献１には、データ幹線および（または）第１、第２の電源幹線の誤結線を瞬時に把握できる発明が記載されている。
【０００５】
特許文献２には、ナースコール子機の脱落又は断線を検出し、脱落または断線した前記ナースコール子機に対応する患者の表示領域のみを表示可能とする液晶廊下灯制御部を具備するナースコールシステムが記載されている。
【０００６】
【特許文献１】・・・・特開２００２−４４２６７号公報
【特許文献２】・・・・特開２００６−２１０２９号公報
【発明の開示】
【発明が解決しようとする課題】
【０００７】
特許文献１記載の発明によれば、ナースコール親機と個別廊下灯とを接続するデータ幹線および（または）第１、第２の電源幹線の誤結線を把握できるに過ぎない。個別廊下灯と子機との間の通線が正常かどうかは把握できない。
【０００８】
また、特許文献２記載の発明によれば、ナースコール子機の脱落又は断線を検出し、液晶廊下灯に表示できるが、ナースコール子機自体には、不良状態の表示も警報も出ない。もちろん、液晶廊下灯が故障で機能停止していれば、ナースコール子機の脱落又は断線の表示は不可である。
【０００９】
すなわち、両文献に記載の発明によれば、ナースコール子機が使用不能の状態になっても、これを使用する患者自身はナースコール子機が使用不能の状態であることを知ることができない。看護師などがナースコール親機または個別廊下灯に表示される異常信号に気付かない限り、個別のナースコール子機の不具合状態を解消することができないという問題がある。
【００１０】
本発明は、前記の問題を解決することを課題とする。
【課題を解決するための手段】
【００１１】
本発明は、個別廊下灯から個別通信線を介してナースコール子機に電源を供給するとともに、前記ナースコール子機には、前記個別通信線の線間電圧の正常、異常を監視し、それぞれに対応して正常または異常信号を出力する異常監視手段と、内蔵電池で駆動される警報電源と、前記警報電源に接続され、異常監視手段から出力される異常信号で閉成し、正常信号で開放される開閉手段と、前記開閉手段を介して前記警報電源に接続される警報手段とを具備し、前記異常監視手段から異常信号が出力された場合には、前記開閉手段を介して、前記警報電源の出力で前記警報手段を動作させることを特徴とするものである。
【００１２】
また、本発明は、前記警報手段には、救助依頼音声からなる音声合成音を含み、前記警報手段の作動時において、ナースコール子機の呼出ボタンを操作した場合には、これに連動して前記音声合成音を出力することを特徴とするものである。
【発明の効果】
【００１３】
本発明は、前記のように構成されているので、ナースコール子機が個別廊下灯から切り離された異常な状態でも、内蔵電池で駆動される警報電源から電源が供給されるので、ナースコール子機自身から警報を出すことができ、使用している患者自身がナースコール子機の異常にいち早く気付くことができる。
【００１４】
仮に、ナースコール子機が接続されている個別廊下灯がトラブルでダウンしていてもナースコール子機自身の警報機能は有効に作用する。
【００１５】
また、ナースコール子機の異常表示や警報音の意味を患者さんが理解しているか否かにかかわらず、この警報状態で、ナースコール子機の呼出ボタンを押した場合には、合成音声による援助依頼音声が放送されるので、周囲の患者さんによる援助が可能となる。
【００１６】
例えば、援助依頼音声に気付いた周囲の患者さんが自身のナースコール子機を使ってナースコール親機を呼出し、他の患者さんが不良のナースコール子機を使って、呼出を行なっている状況を報告することができる。
【発明を実施するための最良の形態】
【００１７】
図１は、本発明のナースコールシステムの接続例を示す構成図である。
【００１８】
図において、１はナースセンターに設置され、呼出通話機能を有するナースコール親機、２は病室の出入り口に設置され、代表灯（図示せず）、個別表示灯（図示せず）を有する個別廊下灯、３は、患者のベッドサイドに設置され、呼出通話機能を有するナースコール子機である。
【００１９】
ナースコール親機１と複数の個別廊下灯２とは、電源線、データ線、音声線を含む通信幹線４で接続されている。
【００２０】
個別廊下灯２には、１または２以上のナースコール子機３が、それぞれ独立した個別通信線５で接続されている。
【００２１】
ナースコール子機３の動作電源は、個別通信線５を介して個別廊下灯２からそれぞれ供給される。
【００２２】
図２は、本発明の１実施例を示すナースコール子機のブロック図である。
【００２３】
図において、３はナースコール子機、６は呼出通話制御手段であり、その入力側は、個別通信線５を介して個別廊下灯２に接続されている。
【００２４】
呼出通話制御手段６には、スピーカ７、収音マイク８、２組の呼出接点９ａ、呼出接点９ｂを有する呼出ボタン９がそれぞれ接続されている。
【００２５】
呼出通話制御手段６は、個別廊下灯２から個別通信線５を介して供給される電源で駆動されるもので、呼出ボタン９を押すと、呼出接点９ａ、９ｂが閉じ、呼出通話制御手段６、個別通信線５を介して個別廊下灯２へ呼出信号が送信される。
【００２６】
この呼出信号は、図１に示すように、個別廊下灯２、通信幹線４を介してナースコール親機１へ送信される。
【００２７】
ナースコール親機１では個別表示灯（図示せず）が点滅し、呼出音が鳴動する。
【００２８】
ナースコール親機１で応答すると、応答信号が通信幹線４、個別廊下灯２、個別通信線５を介してナースコール子機３に送信される。
【００２９】
このようにして、図２の呼出通話制御手段６が通話状態にセットされ、スピーカ７、収音マイク８によりナースコール親機１との間で通話ができる。
【００３０】
図２において、１０は個別通信線５に接続された異常監視手段であり、個別廊下灯２から個別通信線５を介して入力される電圧が正常かどうかを監視する。
【００３１】
すなわち、異常監視手段１０は、個別通信線５の線間電圧が所定の電圧範囲内にあれば、正常と判定し、線同志が短絡したり、断線したりすることによって、所定の電圧範囲外になれば、異常と判定する。
【００３２】
異常監視手段１０の出力端子には、制御素子Ａと開閉接点ａ１とからなる開閉手段１１が接続されている。
【００３３】
異常監視手段１０から正常信号が出力されると、制御素子Ａに電圧が印加され、開閉接点ａ１は開状態に保持される。
【００３４】
反対に、異常監視手段１０に入力される電圧が消失、すなわち、個別通信線５の線間電圧が消失すると、異常監視手段１０から制御素子Ａに印加される電圧も消失し、開閉接点ａ１は閉状態に維持される。
【００３５】
なお、異常監視手段１０はこれを後述する警報電源１２で駆動できる構成にすれば、制御素子Ａに対しては、正常時には電圧を出力せず、異常時に電圧を出力する構成にすることもできる。
【００３６】
図において１２は乾電池などの一次電池またはニッケル水素電池などの二次電池からなる警報電源であり、二次電池の場合は、個別通信線５との間に充電回路（図示せず）を設け、個別廊下灯２から供給される電源で充電できるものとする。
【００３７】
警報電源１２には、開閉接点ａ１を介して、警報手段１３を構成する警報表示灯１４、タイマ回路１５および警報音発生手段１６が接続されている。
【００３８】
警報音発生手段１６は、警報音および音声合成音の２種類の音を発生できるようになっている。なお、ここで警報音とは、ブザー音、チャイム音などを意味する。また、音声合成音とは、「看護師さんを呼んでください。」などの合成音声音を意味する。
【００３９】
タイマ回路１５の出力は、呼出ボタン９の一方の呼出接点９ｂの共通端子に接続されており、呼出接点９ｂの状態に応じて、「警報音」端子または「音声合成音」端子に入力されるようになっている。
【００４０】
次に、個別通信線５で発生する異常の代表的な事例として、個別通信線５が断線または線相互が短絡した場合の動作について説明する。
【００４１】
なお、正常状態、すなわち、個別通信線５の線間電圧が正常な場合は、前述したように、異常監視手段１０から出力される電圧で開閉手段１１の制御素子Ａが常時駆動され、開閉接点ａ１は開放状態を維持するものとする。
【００４２】
この状態で、個別通信線５が断線線または線相互が短絡すると、個別廊下灯２からナースコール子機３に対する電源供給は遮断される。その結果、呼出通話制御手段６の動作は停止し、ナースコール子機３とナースコール親機１との間の呼出通話はできなくなる。
【００４３】
他方、異常監視手段１０に対する入力電圧もなくなり、常時駆動されていた制御素子Ａの印加電圧が除去され、開閉接点ａ１が閉じる。そして、まず、警報表示灯１４が点灯または点滅する。
【００４４】
なお、ナースコール子機６に呼出状態を表示する呼出表示灯（図示せず）がある場合には、この呼出表示灯を使って、警報表示機能を兼用させることができる。
【００４５】
なお、兼用する場合は、呼出表示状態と警報表示状態とを色の違いや点滅方法などで区別するものとする。
【００４６】
さらに警報電源１２の出力はタイマ回路１５および警報音発生手段１６に印加される。
【００４７】
このようにして、タイマ回路１５が起動する。タイマ回路１５の起動から一定時間が経過すると、その出力端子からトリガー信号が出力される。このトリガー信号は、呼出接点９ｂのブレーク端子を介して警報音発生手段１６の「警報音」端子に入力される。このようにして、警報音が鳴る。
【００４８】
この状態で呼出ボタン９を操作すると、タイマ回路１５の出力信号は、呼出接点９ｂのメーク端子を介して、警報音発生手段１６の「音声合成音」端子に入力され、音声合成音がなる。音声合成音としては、例えば、「看護師さんを呼んでください。」などが適当である。
【００４９】
なお、警報音や音声合成音を放音するためには、圧電ブザーやスピーカなど、電気信号を音または音声に変換する音響変換素子が必要であり、本実施例では、警報音手段の中に専用の音響変換素子を設けてある。ただし、本発明によれば、音響変換素子として、通話用のスピーカ７を兼用する回路構成とすることも、当業者であれば容易に実現可能である。
【００５０】
また、以上の実施例では、ナースコール子機３と個別廊下灯２を結ぶ個別通信線は２本の例を示してあるが、これに限定されるものではない。例えば、送話線と受話線と呼出線とを別々にしたり、あるいは、電源供給線を独立させてもよい。
【図面の簡単な説明】
【００５１】
【図１】本発明のナースコールシステムの接続例を示す構成図。
【図２】本発明の１実施例を示すナースコール子機のブロック図。
【符号の説明】
【００５２】
１    ナースコール親機
２    個別廊下灯
３    ナースコール子機
４    通信幹線
５    個別通信線
６    呼出通話制御手段
７    スピーカ
８    マイク
９    呼出ボタン
９ａ    呼出接点
９ｂ    呼出接点
１０    異常監視手段
１１    開閉手段
１２    警報電源
１３    警報手段
１４    警報表示灯
１５    タイマ回路
１６    警報音発生手段
【図１】
2007296068.tif 000003
【図２】
2007296068.tif 000004